(57)【要約】【課題】筐体の前面カバーにおいてスピーカ孔を通話釦で隠蔽して、美観を向上させると共に、スピーカが傷つけられるのを防止することができるインターホンを得る。【解決手段】箱型の本体３と、該本体３の前面に取り付けられるカバー２と、該カバー２の背面側から取り付けられるスピーカ６とを有するインターホン１において、前記カバー２の前記スピーカ６と対向する位置にスピーカ６の外径よりも大きい釦取付枠９を設け、該釦取付枠９に該釦取付枠９とほぼ同じ大きさの通話釦５を設ける。【選択図】図１
2008252576.tif 000002
【特許請求の範囲】
【請求項１】
箱型の本体と、該本体の前面に取り付けられるカバーと、該カバーの背面側から取り付けられるスピーカとを有するインターホンにおいて、
前記カバーの前記スピーカと対向する位置にスピーカの外径よりも大きい釦取付枠を設け、
該釦取付枠に該釦取付枠とほぼ同じ大きさの通話釦を設けたことを特徴とするインターホン。
【請求項２】
前記釦取付枠は、前記カバーの前面側に形成された凹状部であることを特徴とする請求項１に記載のインターホン。
【請求項３】
前記釦取付枠は前記スピーカのほぼ下側半分と対向する位置に形成され、前記釦取付枠の枠上にスピーカ放音用の長孔が形成され、前記スピーカからの音声が該長孔を通って前記釦取付枠と前記通話釦との間に形成される隙間から放出されることを特徴とする請求項１又は２に記載のインターホン。
【請求項４】
前記通話釦は前記釦取付枠に開閉可能に取り付けられ、前記釦取付枠内には点検用操作部が設けられることを特徴とする請求項１乃至３の何れかに記載のインターホン。
【発明の詳細な説明】
【技術分野】
【０００１】
この発明は、一戸建て住宅や集合住宅等に設置されるインターホンに関する。
【０００２】
従来、住宅情報盤やドアホン等のインターホン機能を有する機器は、その筐体前面にスピーカの放音用の孔や溝が多数形成されているほか、通話用の押し釦が設けられている（例えば、特許文献１及び２参照）。そして、インターホンによる通話時においては、通話用の押し釦を押すと通話が開始され、通話先からの音声は筐体前面のスピーカ用の孔や溝から放出される。
【特許文献１】実開平６−１３２５２号公報
【特許文献２】実開平５−４８４５４号公報
【発明の開示】
【発明が解決しようとする課題】
【０００３】
スピーカの放音用の孔や溝は筐体の前面に多数設けられているので、インターホンの美観という点においてはあまり好ましいものではない。又、インターホン子機の様に住宅外部に設けられる機器においては、悪戯によって、スピーカ孔から物を差し込まれ、スピーカが傷つけられる場合もある。又、孔や溝に埃が積もり、掃除がし難いという問題もある。
【０００４】
前記の事情に鑑み、この発明は、筐体の前面カバーにおいてスピーカ孔を通話釦で隠蔽して、美観を向上させると共に、掃除がし易く、スピーカが傷つけられるのを防止することができるインターホンを得ることを目的とする。
【課題を解決するための手段】
【０００５】
この発明は、箱型の本体と、該本体の前面に取り付けられるカバーと、該カバーの背面側から取り付けられるスピーカとを有するインターホンにおいて、前記カバーの前記スピーカと対向する位置にスピーカの外径よりも大きい釦取付枠を設け、該釦取付枠に該釦取付枠とほぼ同じ大きさの通話釦を設けたことを特徴とするインターホン、である。
【０００６】
又、この発明は、前記インターホンであって、前記釦取付枠は、前記カバーの表面側に形成された凹状部であることを特徴とするインターホン、である。
【０００７】
又、この発明は、前記インターホンであって、前記釦取付枠は前記スピーカのほぼ下側半分と対向する位置に形成され、前記釦取付枠の枠上にスピーカ放音用の長孔が形成され、前記スピーカからの音声が該長孔を通って前記釦取付枠と前記通話釦との間に形成される隙間から放出されることを特徴とするインターホン、である。
【０００８】
又、この発明は、前記インターホンであって、前記通話釦は前記釦取付枠に開閉可能に取り付けられ、前記釦取付枠内には、点検用操作部、例えば試験スイッチやリセットスイッチ等が設けられることを特徴とするインターホン、である。
【発明の効果】
【０００９】
この発明によれば、カバーにおいて、スピーカの前面側には通話釦が設けられ、スピーカ孔は隠蔽された状態にある。このため、カバー前面側には外観上スピーカ孔はないので、インターホンとしての美観を向上させると共に、悪戯によって、スピーカが傷つけられるのを防止することができる。又、埃等が溜まり難いので、掃除がし易い。
【００１０】
又、この発明においては、釦取付枠が前記スピーカのほぼ下側半分と対向する位置に形成され、釦取付枠の枠上にスピーカ放音用の長孔を形成することで、スピーカの音声は、長孔を介して釦取付枠と通話釦との間の隙間から放出されるので、スピーカ孔が隠蔽されていても、十分な音量で放出される。
【００１１】
又、この発明においては、釦取付枠がカバー表面に形成された凹状部であることで、カバー表面と釦取付枠内に取り付けられる通話釦の表面を同一面上に位置させることができ、インターホンとしての美観を更に向上させることができる。
【発明を実施するための最良の形態】
【００１２】
この発明の実施の形態を図１乃至７に基づき説明する。尚、図１は、この発明のインターホンの一例である住宅情報盤を示し、（ａ）が正面図、（ｂ）がそのＢ−Ｂ線断面図であり、図２は、カバー内面を示す背面図であり、図３は、カバー内面を示す上方からの斜視図であり、図４は、同上を示す下方からの斜視図であり、図５は、図１（ｂ）の要部の拡大図であり、図６は、通話釦を取り外した状態における正面図であり、図７は、通話釦を示す斜視図で、（ａ）が表面側のもので、（ｂ）が内面側のものである。
【００１３】
図１乃至７において、１は、この発明のインターホンの一例である住宅情報盤である。尚、住宅情報盤は、戸建の住宅又は集合住宅の各戸の戸内に設置され、玄関に設置されるドアホン子機や集合住宅における集合玄関機等の戸外に設置される機器と接続されて用いられるものである。
【００１４】
住宅情報盤１は、箱状の本体３とその前面に被せられて取り付けられるカバー２とからなり、カバー２には、前面２ａに表示部４や通話釦５等が設けられ、裏面２ｂに表示部４用のディスプレイ４ａやスピーカ６等が設けられている（図１参照）。尚、スピーカ６は、後述する様に、カバー２の背面側からカバー２に取り付けられる。
【００１５】
スピーカ６は、カバー２の裏面２ｂのスピーカマウント部７に取り付けられる（図４参照）。スピーカマウント部７には、スピーカ６の外形に沿う周壁７ａと、スピーカ６の下方に配された規制壁８が設けられている。規制壁８は、周壁７ａと部分的に一体をなす円弧状の部分８ａとその円弧状の部分８ａと連続する直線状の部分８ｂとを有しており、その高さは周壁７ａの高さよりも高く、スピーカ６の後方に配される基板１０に至るものとなっている（図２乃至４参照）。この規制壁８があることにより、スピーカ６の後方の空気の流れが規制され、音漏れ、特に、規制壁８より下側において、釦取付枠９の底壁９ｄにある開口を通して前面２ａ側に音が漏れるのを防止することができる。又、スピーカ６の上方の周壁７ａよりも下方の規制壁７ｂを高いものにすることで、次の様な利点がある。即ち、規制壁８がないと、スピーカ６の下方にある孔（基板１０のスイッチ押動用の樹脂バネ部９ｉを形成するためのもの）を通して、スピーカ裏面より出る音が前面に出て、逆位相の音がつながることで、音量低下、音量悪化を引き起こすが、これを規制壁８によって防止している。つまり、スピーカ６の前面と裏面との空間のつながりを遮断している。
【００１６】
通話釦５はカバー２の前面２ａに設けた凹状の釦取付枠９に取り付けられるが、釦取付枠９はカバー２の前面２ａより窪んだ凹状部であり、釦取付枠９に取り付けられる通話釦５はその前面がカバー２の前面２ａと略面一をなす様になっている（図１参照）。
【００１７】
釦取付枠９は正面視で略矩形をなし、カバー２の裏面２ｂに取り付けられるスピーカ６の外径よりも大きく、具体的にはその長辺部がスピーカ６の外径よりも長く形成されている（図６参照）。又、釦取付枠９は、カバー２の裏面２ｂに取り付けられるスピーカ６と対向する位置、具体的には長辺部である上辺部９ａがスピーカ６の中心より若干下方を横切る位置、即ちスピーカ６の略下側半分を覆う位置に設けられている。
【００１８】
釦取付枠９には、その枠上に、具体的にはその上辺部９ａのスピーカ６を横切る部分に放音用の長孔９ｂが形成されている（図２及び図３参照）。この長孔９ｂによって、カバー２及びその釦取付枠９によって前方が覆われているスピーカ６の前方への音道が確保されている。
【００１９】
長孔９ｂは、更に具体的には、釦取付枠９の上辺部９ａのスピーカ６を横切る部分において、側壁部９ｃと底壁部９ｄとの間を切り欠いて形成されており（図２及び図３参照）、釦取付枠９の内外を前後（表裏）方向のみならず上下方向においても連通させている。前記した様に、スピーカ６の前後の空間を仕切る規制壁８が設けられており、長孔９ｂが上下方向においても連通する孔であることと相俟って、スピーカ６からの音声を長孔９ｂを通過する様指向させることができる様になっている。
【００２０】
又、釦取付枠９は、具体的にはその底壁部９ｄによってスピーカ６の略下側半分を覆っているが、底壁部９ｄのスピーカ６を覆う部分には、それが前面側に隆起し、且つ釦取付枠９の上辺部９ａの長孔９ｂに向けて前面側に傾斜する隆起部９ｅが形成されている。この隆起部９ｅはその裏面側においては、長孔９ｂに向けての集音部９ｋを構成し、スピーカ６の音声を長孔９ｂに集中させることができる様になっている（図５参照）。
【００２１】
通話釦５は正面視で略矩形をなし、又釦取付枠９と略同じ大きさ（具体的には通話釦５の高さは釦取付枠９よりも短い）をなしている。従って、通話釦５は、釦取付枠９に取り付けられた状態において、釦取付枠９との間に美観を損なう程の隙間は形成されない（具体的には下辺部側に釦取付枠９の下辺部との間に余裕がある）。又、放音用の長孔９ｂが釦取付枠９の上辺部９ａに設けられていることで、その長孔９ｂが設けられている部分における通話釦５と釦取付枠９との間の隙間１１は長孔９ｂ直接的に連通するので、スピーカ６からの長孔９ｂを介しての音声を前方に十分な音量で放出することができる。
【００２２】
更に、釦取付枠９における上辺部９ａの長孔９ｂが形成される部分の端縁部９ｈは通話釦５との隙間１１に向けて傾斜しており、又通話釦５における上辺部の端縁部５ｃも釦取付枠９との隙間１１に向けて傾斜している。釦取付枠９の端縁部９ｈと通話釦５の端縁部５ｃがそれぞれ隙間１１に向けて傾斜していることによっても、スピーカ６の音声を隙間１１に集中させることができる様になっている（図５参照）。
【００２３】
通話釦５は、更に具体的には、開閉自在に且つ着脱自在に釦取付枠９に取り付けられている。そして、釦取付枠９の底壁部９ｄの前面には、隆起部９ｅに隣接してリセットスイッチ９ｆや機能試験スイッチ９ｇ等の常時は操作されない点検用操作部が設けられており（図６参照）、それら点検用操作部を通話釦５を上方へ開放することで操作できる様になっており、それら点検用操作部が常時において悪戯に操作されるのを防ぎつつも、必要な時には通話釦５を開くことで（或いは取り外すことで）操作できる様になっている。この通話釦５の開閉機構は、釦取付枠９の底壁部９ｄよりその裏面側に挿通されるヒンジ５ａ，５ａによって構成されている。尚、５ｂ，５ｂは通話釦５をカバー２に取り付けるための係止片である（図７参照）。
【００２４】
この発明の住宅情報盤１においては、スピーカ６の前方は、カバー２及びその釦取付枠９に取り付けられる通話釦５によって隠蔽されている。従って、カバー２の前面２ａ側に外観上スピーカ用の放音孔はないので、住宅情報盤としての美観を向上させることができると共に、悪戯によってスピーカ６が傷つけられるのを防ぐことができる。
【００２５】
又、この発明の住宅情報盤１においては、釦取付枠９をスピーカ６の略下側半分を覆う位置に配し、釦取付枠９の枠上に放音用の長孔９ｂを設けることで、スピーカ６からの音声を長孔９ｂを介して釦取付枠９と通話釦５との間の隙間１１から放出することができるので、スピーカ６の前方を隠蔽していても、十分な音量で放出することができる。
【００２６】
更に、この発明の住宅情報盤１においては、釦取付枠９をカバー２の前面２ａに形成した凹状部とすることで、カバー２の前面２ａと釦取付枠内に取り付けられる通話釦５の前面を略面一にすることができ、住宅情報盤としての美観を更に向上させることができる。
【図面の簡単な説明】
【００２７】
【図１】この発明のインターホンの一例である住宅情報盤を示し、（ａ）が正面図、（ｂ）がそのＢ−Ｂ線断面図である。
【図２】同上を示し、そのカバーの内面を示す背面図である。
【図３】同上を示し、そのカバーの内面を示す上方からの斜視図である。
【図４】同上を示し、そのカバーのスピーカが取り付けられている状態における内面を示す下方からの斜視図である。
【図５】同上を示し、図１（ｂ）の要部の拡大図である。
【図６】同上を示し、その通話釦を取り外した状態における正面図である。
【図７】同上を示し、その通話釦の、（ａ）が表面側の斜視図で、（ｂ）が内面側の斜視図である。
【符号の説明】
【００２８】
１    住宅情報盤          ２    カバー        ２ａ  前面
２ｂ  裏面                ３    本体          ４    表示部
４ａ  ディスプレイ        ５    通話釦        ５ａ  ヒンジ
５ｂ  ストッパ            ５ｃ  端縁部        ６    スピーカ
７    スピーカマウント部  ７ａ  周壁          ８    規制壁
８ａ  円弧状の部分        ８ｂ  直線状の部分  ９    釦取付枠
９ａ  上辺部              ９ｂ  長孔          ９ｃ  側壁部
９ｄ  底壁部              ９ｅ  隆起部        ９ｆ  リセットスイッチ
９ｇ  機能試験スイッチ    ９ｈ  端縁部        ９ｉ  樹脂バネ部
９ｋ  集音部              １０  基板          １１  隙間
【図１】
2008252576.tif 000003
【図２】
2008252576.tif 000004
【図３】
2008252576.tif 000005
【図４】
2008252576.tif 000006
【図５】
2008252576.tif 000007
【図６】
2008252576.tif 000008
【図７】
2008252576.tif 000009